(57)【要約】本発明は、肛門洗浄や女性洗浄のためにレバーを作動させると、肛門洗浄や女性洗浄を行う前にまずノズル洗浄用水が噴射されてノズルを自動で清掃するようになり、肛門洗浄や女性洗浄の作動後にも自動でノズルを清掃することによって、衛生的なノズルを管理することができ、使用者に清潔さを提供するビデ用弁装置を開示する。
2018536786.tif 000002
【特許請求の範囲】
【請求項１】
ビデの一部分に設置されて女性洗浄ノズル又は肛門洗浄ノズルに洗浄水を供給するビデ用弁装置であって、
一側面には供給管連結具が内部と連通するように形成され、上部にはレバー露出孔が貫通形成された上部ケースと、
前記上部ケースの供給管連結具に嵌合されて洗浄水を供給する洗浄水供給管と、
前記上部ケースの内部に挿入されるように組み立てられ、かつ、外面と洗浄水供給管の内面との間には空間が形成されるように組み立てられ、上部には前記レバー露出孔を貫通して上部に露出されるレバー連結具が形成された、回転板調節部材と、
前記回転板調節部材の下面に密着して、回転板調節部材を回転させると、共に回転するように設置され、上面中央には中央流路が形成され、中央流路の周縁に沿って回転板調節部材に密着する壁体が形成され、壁体には多数箇所に外側方向に連通するように水流入路が形成されて、洗浄水が水流入路を介して中央流路に案内されるように構成され、底には前後に配列される第１孔及び第２孔が下方に貫通するように形成された、水路選択回転板と、
前記水路選択回転板の下面に密着するように配置され、かつ、前記上部ケースの内部で固定されるように設置され、前記第１孔を基準として左側及び右側のそれぞれにノズル清掃孔が下方に貫通するように形成されて、水路選択回転板が左側及び右側に一部回転するときに、第１孔がノズル清掃孔と一致して洗浄水がノズル清掃孔を介して排出されるように設置され、前記第２孔を基準として左側には女性洗浄孔が、そして、右側には肛門洗浄孔が下方に貫通するように形成されて、水路選択回転板が左側及び右側にさらに回転するときに、第２孔が女性洗浄孔又は肛門洗浄孔と一致して洗浄水が女性洗浄孔又は肛門洗浄孔を介して排出されるように設置された、遮断板と、
前記遮断板の下面に密着するように配置され、ノズル清掃孔と対応するノズル清掃連通孔、女性洗浄孔と対応する女性洗浄連通孔、及び肛門洗浄孔と対応する肛門洗浄連通孔が貫通形成された、パッキンと、
前記パッキンの下面に密着した状態で前記上部ケースに固定されるように設置され、中央には、前記ノズル清掃連通孔と対応するノズル清掃水路孔、女性洗浄連通孔と対応する女性洗浄水路孔、及び肛門洗浄連通孔と対応する肛門洗浄水路孔が形成され、下部一側には、ノズル清掃水路孔に連通するノズル清掃排出管連結具、女性洗浄水路孔に連通する女性洗浄排出管連結具、及び肛門洗浄水路孔に連通する肛門洗浄排出管連結具が形成された、下部ケースと、
前記ノズル清掃排出管連結具に嵌合されて洗浄水が案内されると、女性洗浄ノズル又は肛門洗浄ノズルの外面に洗浄水を供給して女性洗浄ノズル又は肛門洗浄ノズルを清掃する作業を行う、ノズル清掃用排出管と、
前記女性洗浄排出管連結具に嵌合されて洗浄水が案内されると、女性洗浄ノズル内に洗浄水を供給して女性洗浄作業を行うことができるようにする、女性洗浄用排出管と、
前記肛門洗浄排出管連結具に嵌合されて洗浄水が案内されると、肛門洗浄ノズル内に洗浄水を供給して肛門洗浄作業を行うことができるようにする、肛門洗浄用排出管と、を含むように構成されて、
女性洗浄のために回転板調節部材を女性洗浄の方向に回転させると、その作動過程で第２孔と女性洗浄孔とが一致する前に、まず第１孔とノズル清掃孔とが一致して女性洗浄ノズルの外面に洗浄水を供給して女性洗浄ノズルを清掃する作業が先に実行されるように構成され、肛門洗浄のために回転板調節部材を肛門洗浄の方向に回転させると、その作動過程で第２孔と肛門洗浄孔とが一致する前に、まず第１孔とノズル清掃孔とが一致して肛門洗浄ノズルの外面に洗浄水を供給して肛門洗浄ノズルを清掃する作業が先に実行されるように構成されたことを特徴とする、ビデ用弁装置。
【請求項２】
前記回転板調節部材の下部には係止突起が突設され、前記水路選択回転板には係止突起と対応する係止溝が形成されて、係止突起が係止溝に嵌合される方式で結合されることで、回転板調節部材を回転させると、水路選択回転板が共に回転するように設置されたことを特徴とする、請求項１に記載のビデ用弁装置。
【請求項３】
前記水路選択回転板が回転して第２孔が女性洗浄孔又は肛門洗浄孔と一致して洗浄水を排出するとき、第２孔が女性洗浄孔又は肛門洗浄孔と最初に一致する部分では洗浄水が最小に排出され、最後に一致する部分では洗浄水が最大に排出されることで洗浄水の量を調節できるように、女性洗浄孔又は肛門洗浄孔は、前部から後部に行くほど直径が広くなる弧状を有するように形成され、
前記第１孔は、ノズル清掃孔よりも大きい直径を有するようにして、第１孔に案内される洗浄水がノズル清掃孔に確実に排出されるように構成されたことを特徴とする、請求項１に記載のビデ用弁装置。
【請求項４】
ビデの一部分に設置され、回転板調節部材を左側の女性洗浄の方向に回転させると、洗浄水が水路選択回転板の第２孔及び遮断板の女性洗浄孔を介して女性洗浄用排出管に案内されて女性洗浄ノズルの内部に洗浄水を供給し、回転板調節部材を右側の肛門洗浄の方向に回転させると、洗浄水が水路選択回転板の第２孔及び遮断板の肛門洗浄孔を介して肛門洗浄用排出管に案内されて肛門洗浄ノズルの内部に洗浄水を供給して女性洗浄又は肛門洗浄を実行するようにするビデ用弁装置であって、
前記水路選択回転板の第２孔の前部に第１孔を形成し、遮断板には第１孔を基準として左側及び右側のそれぞれにノズル清掃孔が形成されて、水路選択回転板が女性洗浄又は肛門洗浄の方向に回転するとき、第１孔がノズル清掃孔と先に一致するように連通して女性洗浄ノズル又は肛門洗浄ノズルの外面に洗浄水を供給することによって、女性洗浄ノズル又は肛門洗浄ノズルを清掃する作業が先に実行されるように構成されたことを特徴とする、ビデ用弁装置。
【発明の詳細な説明】
【技術分野】
【０００１】
本発明は、ビデ用弁装置に係り、より詳細には、肛門洗浄や女性洗浄のためにレバーを作動させると、肛門洗浄や女性洗浄を行う前にまずノズル洗浄用水が噴射されてノズルを自動で清掃するようになり、肛門洗浄や女性洗浄の作動後にも自動でノズルを清掃することによって、衛生的なノズルを管理することができ、使用者に清潔さを提供することができるビデ用弁装置に関する。
【背景技術】
【０００２】
一般に、ビデ（ｂｉｄｅｔ）は、使用者が用便後に作動させると、自動で洗浄水を噴射して用便部位をトイレットペーパーなしに洗浄する機能を有する装置である。
【０００３】
このようなビデは、通常、電気式と非電気式とに区別され、基本的な作動を説明すると、用便後にノズルを介して噴射される洗浄水でトイレットペーパーなしに肛門を洗浄する肛門洗浄、及び女性の局部を洗浄する女性洗浄に使用される。そして、肛門洗浄と女性洗浄の作動は弁装置を介して選択的に行われる。
【０００４】
ビデに使用される弁装置の一例を挙げると、大韓民国登録特許第１０−０７８５５１４号、第１０−０８３８９９９号、第１０−０８０４１７１号などが開示されている。
【０００５】
しかし、前記特許に開示された従来のビデ用弁装置は、肛門洗浄又は女性洗浄のためにノズルを作動させるとき、ノズルを自動で清掃する機能がないため、使用者に清潔と衛生において確信を提供できないという問題がある。
【先行技術文献】
【特許文献】
【０００６】
【特許文献１】韓国登録特許第１０−０７８５５１４号公報
【特許文献２】韓国登録特許第１０−０８３８９９９号公報
【特許文献３】韓国登録実用新案第２０−０４４４８７０号公報
【特許文献４】韓国登録特許第１０−０８０４１７１号公報
【発明の概要】
【発明が解決しようとする課題】
【０００７】
本発明は、上述した問題点を改善するために提案されたもので、その目的は、肛門洗浄や女性洗浄のためにレバーを作動させると、肛門洗浄や女性洗浄を行う前にまずノズル洗浄用水が噴射されてノズルを自動で清掃するようにして使用者に清潔さを提供するビデ用弁装置を提供することにある。
【課題を解決するための手段】
【０００８】
上述した目的は、ビデの一部分に設置されて女性洗浄ノズル又は肛門洗浄ノズルに洗浄水を供給するビデ用弁装置であって、一側面には供給管連結具が内部と連通するように形成され、上部にはレバー露出孔が貫通形成された上部ケースと；前記上部ケースの供給管連結具に嵌合されて洗浄水を供給する洗浄水供給管と；前記上部ケースの内部に挿入されるように組み立てられ、かつ、外面と洗浄水供給管の内面との間には空間が形成されるように組み立てられ、上部には前記レバー露出孔を貫通して上部に露出されるレバー連結具が形成された、回転板調節部材と；前記回転板調節部材の下面に密着して、回転板調節部材を回転させると、共に回転するように設置され、上面中央には中央流路が形成され、中央流路の周縁に沿って回転板調節部材に密着する壁体が形成され、壁体には多数箇所に外側方向に連通するように水流入路が形成されて、洗浄水が水流入路を介して中央流路に案内されるように構成され、底には前後に配列される第１孔及び第２孔が下方に貫通するように形成された、水路選択回転板と；前記水路選択回転板の下面に密着するように配置され、かつ、前記上部ケースの内部で固定されるように設置され、前記第１孔を基準として左側及び右側のそれぞれにノズル清掃孔が下方に貫通するように形成されて、水路選択回転板が左側及び右側に一部回転するときに、第１孔がノズル清掃孔と一致して洗浄水がノズル清掃孔を介して排出されるように設置され、前記第２孔を基準として左側には女性洗浄孔が、そして、右側には肛門洗浄孔が下方に貫通するように形成されて、水路選択回転板が左側及び右側にさらに回転するときに、第２孔が女性洗浄孔又は肛門洗浄孔と一致して洗浄水が女性洗浄孔又は肛門洗浄孔を介して排出されるように設置された、遮断板と；前記遮断板の下面に密着するように配置され、ノズル清掃孔と対応するノズル清掃連通孔、女性洗浄孔と対応する女性洗浄連通孔、及び肛門洗浄孔と対応する肛門洗浄連通孔が貫通形成された、パッキンと；前記パッキンの下面に密着した状態で前記上部ケースに固定されるように設置され、中央には、前記ノズル清掃連通孔と対応するノズル清掃水路孔、女性洗浄連通孔と対応する女性洗浄水路孔、及び肛門洗浄連通孔と対応する肛門洗浄水路孔が形成され、下部一側には、ノズル清掃水路孔に連通するノズル清掃排出管連結具、女性洗浄水路孔に連通する女性洗浄排出管連結具、及び肛門洗浄水路孔に連通する肛門洗浄排出管連結具が形成された、下部ケースと；前記ノズル清掃排出管連結具に嵌合されて洗浄水が案内されると、女性洗浄ノズル又は肛門洗浄ノズルの外面に洗浄水を供給して女性洗浄ノズル又は肛門洗浄ノズルを清掃する作業を行う、ノズル清掃用排出管と；前記女性洗浄排出管連結具に嵌合されて洗浄水が案内されると、女性洗浄ノズル内に洗浄水を供給して女性洗浄作業を行うことができるようにする、女性洗浄用排出管と；前記肛門洗浄排出管連結具に嵌合されて洗浄水が案内されると、肛門洗浄ノズル内に洗浄水を供給して肛門洗浄作業を行うことができるようにする、肛門洗浄用排出管と；を含むように構成されて、女性洗浄のために回転板調節部材を女性洗浄の方向に回転させると、その作動過程で第２孔と女性洗浄孔とが一致する前に、まず第１孔とノズル清掃孔とが一致して女性洗浄ノズルの外面に洗浄水を供給して女性洗浄ノズルを清掃する作業が先に実行されるように構成され、肛門洗浄のために回転板調節部材を肛門洗浄の方向に回転させると、その作動過程で第２孔と肛門洗浄孔とが一致する前に、まず第１孔とノズル清掃孔とが一致して肛門洗浄ノズルの外面に洗浄水を供給して肛門洗浄ノズルを清掃する作業が先に実行されるように構成されたことを特徴とする、ビデ用弁装置によって達成される。
【０００９】
そして、前記回転板調節部材の下部には係止突起が突設され、前記水路選択回転板には係止突起と対応する係止溝が形成されて、係止突起が係止溝に嵌合される方式で結合されることで、回転板調節部材を回転させると、水路選択回転板が共に回転するように設置されたことを特徴とする。
【００１０】
そして、前記水路選択回転板が回転して第２孔が女性洗浄孔又は肛門洗浄孔と一致して洗浄水を排出するとき、第２孔が女性洗浄孔又は肛門洗浄孔と最初に一致する部分では洗浄水が最小に排出され、最後に一致する部分では洗浄水が最大に排出されることで洗浄水の量を調節できるように、女性洗浄孔又は肛門洗浄孔は、前部から後部に行くほど直径が広くなる弧状を有するように形成され、前記第１孔は、ノズル清掃孔よりも大きい直径を有するようにして、第１孔に案内される洗浄水がノズル清掃孔に確実に排出され得るように構成されたことを特徴とする。
【発明の効果】
【００１１】
本発明に係るビデ用弁装置を適用すると、肛門洗浄又は女性洗浄のためにノズルを作動させるとき、ノズル洗浄用水がまず噴射されながらノズルを自動で清潔に清掃し、肛門洗浄や女性洗浄の作動後にも自動でノズルを清掃することによって、衛生的なノズルを管理することができ、使用者に衛生的且つ清潔であるという確信を提供することによって、製品の信頼度が向上するという効果がある。
【図面の簡単な説明】
【００１２】
【図１】本発明に係るビデ用弁装置の構成を示す分離斜視図である。
【図２】本発明に係るビデ用弁装置の構成を示す分離断面図である。
【図３】本発明に係るビデ用弁装置が作動する前の状態の結合状態を示す断面図である。
【図４】図３において水路選択回転板及び遮断板の状態を示す平面図である。
【図５】図３において肛門洗浄のために弁が作動する過程でノズル洗浄状態となった状態を示す断面図である。
【図６】図５の状態で水路選択回転板及び遮断板の状態を示す平面図である。
【図７】図３において弁が作動して肛門洗浄状態となった状態を示す断面図である。
【図８】図７の状態で水路選択回転板及び遮断板の状態を示す平面図である。
【発明を実施するための形態】
【００１３】
添付の図面を参照して本発明について詳細に説明すると、次の通りである。
【００１４】
図１乃至図４を参照すると、本発明に係るビデ用弁装置は、ビデ（図示せず）の一部分に設置されて女性洗浄ノズル（図示せず）又は肛門洗浄ノズル（図示せず）に洗浄水を選択的に供給することによって、女性洗浄作業、肛門洗浄作業、及び女性洗浄ノズルと肛門洗浄ノズルの洗浄作業などを実行できるように構成される。ここで、ビデは、電気式ビデや非電気式ビデの両方に適用することができ、したがって、特定のモデルに限定する必要はない。
【００１５】
本発明に係るビデ用弁装置を説明すると、上部ケース１００、回転板調節部材３００、水路選択回転板４００、遮断板５００、パッキン６００、及び下部ケース７００を含んで構成される。
【００１６】
まず、上部ケース１００は、内部が空いており、一側面には供給管連結具１１０が内部と連通するように形成され、上部にはレバー露出孔１２０が貫通形成されるように構成される。そして、外面には、ビデの一部分に螺合できるように固定孔１３２が貫通形成された多数のフランジ部１３０が突設される。そして、上部ケース１００の供給管連結具１１０には洗浄水供給管２００が嵌合されて、洗浄水供給管２００を介して上部ケース１００の内部に洗浄水を供給するように構成される。
【００１７】
次に、回転板調節部材３００は、上部ケース１００の内部に挿入されるように組み立てられるもので、組み立てられたとき、回転板調節部材３００の外面と洗浄水供給管２００の内面との間には洗浄水が流れ得る空間Ｇが形成されるように組み立てられる。そして、回転板調節部材３００の上部には、レバー露出孔１２０を貫通して上部に露出するレバー連結具３１０が一体に形成される。ここで、レバー連結具３１０にはレバー（図示せず）が結合されることで、使用者がレバーを把持して回転板調節部材３００を左右に回転させることができるように構成される。そして、回転板調節部材３００の下部には多数の係止突起３２０が突設される。
【００１８】
次に、水路選択回転板４００は、回転板調節部材３００の下面に密着するように設置されており、周縁には回転板調節部材３００の係止突起３２０と対応する係止溝４４０が形成されて、係止突起３２０が係止溝４４０に嵌合される方式で結合されることで、回転板調節部材３００を回転させると、水路選択回転板４００が共に回転するように設置される。そして、水路選択回転板４００の上面中央には中央流路４１０が形成され、中央流路４１０の周縁に沿って回転板調節部材３００に密着する壁体４２０が形成され、壁体４２０には、多数箇所に外側方向に連通するように水流入路４３０が形成されて、洗浄水が水流入路４３０を介して中央流路４１０に案内されるように構成される。そして、水路選択回転板４００の底には第１孔４５０及び第２孔４６０が下方に貫通するように形成される。ここで、第１孔４５０と第２孔４６０は、水路選択回転板４００のセンターに向かうように前後に同一線上に配置されるように構成することが好ましいが、ずれるように配置してもよい。
【００１９】
次に、遮断板５００は、水路選択回転板４００の下面に密着するように配置されており、上部ケース１００の内部で回転しないように固定されるように設置される。すなわち、遮断板５００の外面の一部分には回転防止突起５４０が突設され、上部ケース１００の内部には、回転防止突起５４０が挿入される固定溝１５０が形成されることで、遮断板５００が上部ケース１００の内部に嵌め込まれるとき、回転防止突起５４０が固定溝１５０に挿入されて遮断板５００が回転することを防止するようになる。そして、遮断板５００には、第１孔４５０を基準として左側及び右側のそれぞれにノズル清掃孔５１０が下方に貫通するように形成されることで、水路選択回転板４００が左側及び右側に一部回転するときに、第１孔４５０がノズル清掃孔５１０と一致して洗浄水がノズル清掃孔５１０を介して排出され得る。そして、第２孔４６０を基準として左側には女性洗浄孔５２０が、そして、右側には肛門洗浄孔５３０が下方に貫通するように形成されることで、水路選択回転板４００が左側及び右側にさらに回転するときに、第２孔４６０が女性洗浄孔５２０又は肛門洗浄孔５３０と一致して洗浄水が女性洗浄孔５２０又は肛門洗浄孔５３０を介して排出され得る。
【００２０】
次に、パッキン６００はゴム材質で製造され、遮断板５００の下面に密着するように配置されて、後述する下部ケース７００との間に介在されることによって、上部ケース１００と下部ケース７００との組み立て部分の隙間に洗浄水が漏出することを防止する役割を果たす。そして、パッキン６００の中央には、ノズル清掃孔５１０と対応するノズル清掃連通孔６１０、女性洗浄孔５２０と対応する女性洗浄連通孔６２０、及び肛門洗浄孔５３０と対応する肛門洗浄連通孔６３０が貫通形成されるように構成される。
【００２１】
次に、下部ケース７００は、パッキン６００の下面に密着した状態で上部ケース１００に固定されるように設置される。すなわち、下部ケース７００の外面には、締結孔７７２が貫通形成された多数個の締結片７７０が突設され、上部ケースのフランジ部１３０の底面の一部分には、締結片７７０と密着する締結ボス１４０が下方に突設されて、下部ケース７００を上部ケース１００に組み立てた状態で、締結孔７７２を貫通するように結合されるねじＳが締結ボス１４０を削りながら締結ボス１４０に締結されて固定的に結合される構造を有する。そして、下部ケース７００の中央には、ノズル清掃連通孔６１０と対応するノズル清掃水路孔７１０、女性洗浄連通孔６２０と対応する女性洗浄水路孔７２０、及び肛門洗浄連通孔６３０と対応する肛門洗浄水路孔７３０が形成され、下部一側には、ノズル清掃水路孔７１０に連通するノズル清掃排出管連結具７４０、女性洗浄水路孔７２０に連通する女性洗浄排出管連結具７５０、及び肛門洗浄水路孔７３０に連通する肛門洗浄排出管連結具７６０が一体に形成される。
【００２２】
次に、ノズル清掃排出管連結具７４０にはノズル清掃用排出管８００が嵌合されて洗浄水が案内されると、女性洗浄ノズル又は肛門洗浄ノズルの外面に洗浄水を供給して女性洗浄ノズル又は肛門洗浄ノズルを清掃する作業を行うことができるように構成され、女性洗浄排出管連結具７５０には女性洗浄用排出管８１０が嵌合されて洗浄水が案内されると、女性洗浄ノズル内に洗浄水を供給して女性洗浄作業を行うことができるように構成され、肛門洗浄排出管連結具７６０には肛門洗浄用排出管８２０が嵌合されて洗浄水が案内されると、肛門洗浄ノズル内に洗浄水を供給して肛門洗浄作業を行うことができるように構成される。ここで、洗浄水が女性洗浄ノズル又は肛門洗浄ノズル内に案内されて女性洗浄又は肛門洗浄を行う作業は公知の技術であるため、女性洗浄ノズル又は肛門洗浄ノズルの構造及び作動についての説明は省略する。すなわち、本発明に使用される女性洗浄ノズル又は肛門洗浄ノズルは、公知の製品を適用すればよい。しかし、ノズル清掃用排出管８００を介して女性洗浄ノズル又は肛門洗浄ノズルの外面に洗浄水を供給して女性洗浄ノズル又は肛門洗浄ノズルを清掃する構造は、本発明のみの特徴といえる。
【００２３】
次に、本発明は、水路選択回転板４００が回転して第２孔４６０が女性洗浄孔５２０又は肛門洗浄孔５３０と一致して洗浄水を排出するとき、第２孔４６０が女性洗浄孔５２０又は肛門洗浄孔５３０と最初に一致する部分では、洗浄水が最小に排出され、最後に一致する部分では、洗浄水が最大に排出されながら女性洗浄及び肛門洗浄の時の洗浄水の量を調節できるように、女性洗浄孔５２０又は肛門洗浄孔５３０は、前部から後部に行くほど直径が広くなる弧状を有するように構成することが好ましい。そして、第１孔４５０は、ノズル清掃孔５１０よりも大きい直径を有するか、または長溝を有するようにして、第１孔４５０に案内される洗浄水がノズル清掃孔５１０に確実に排出され得るように構成することが好ましい。また、図示していないが、使用者が回転板調節部材３００を回転させるとき、女性洗浄と肛門洗浄との間のセンター位置、ノズル清掃位置を正確に感じられるように係止構造などを別途に構成してもよい。
【００２４】
以下、このように構成された本発明に係るビデ用弁装置の組み立て及び作動関係を説明する。
【００２５】
まず、本発明に係るビデ用弁装置を組み立てるときは、上部ケース１００の内部に回転板調節部材３００、水路選択回転板４００、遮断板５００を順次挿入した後、遮断板５００の下部にパッキン６００を当てて下部ケース７００を組み立てた後、締結孔７７２を貫通するねじＳを締結ボス１４０に締結して固定する。その後、上部ケース１００の供給管連結具１１０に洗浄水供給管２００を連結し、下部ケース７００のノズル清掃排出管連結具７４０、女性洗浄排出管連結具７５０、肛門洗浄排出管連結具７６０にはそれぞれ対応するノズル清掃用排出管８００、女性洗浄用排出管８１０、肛門洗浄用排出管８２０を連結すればよい。勿論、このように組み立てられた弁装置は、ビデの一部分に設置された後、上部ケース１００のフランジ部１３０に形成された固定孔１３２を介してビデに固定されるように設置すればよい。そして、ノズル清掃用排出管８００は、女性洗浄ノズル及び肛門洗浄ノズルの外面に洗浄水を案内できるように設置し、女性洗浄用排出管８１０は、女性洗浄ノズルの内部に洗浄水を案内できるように設置し、肛門洗浄用排出管８２０は、肛門洗浄ノズルの内部に洗浄水を案内できるように設置すればよい。
【００２６】
このように組み立てられたビデ用弁装置を作動するときは、使用者の必要に応じて、弁を介して回転板調節部材３００と共に水路選択回転板４００を女性洗浄又は肛門洗浄の方向に回転させればよい。このとき、本発明に係るビデ用弁装置は、女性洗浄又は肛門洗浄の作業を行う前に、そして、女性洗浄又は肛門洗浄の作業を行った後に女性洗浄ノズル又は肛門洗浄ノズルを清掃する作業を自動で実行するようになる。
【００２７】
例えば、肛門洗浄を行うときの弁装置の作動関係を説明すると、図３及び図４に示されるように、回転板調節部材３００が女性洗浄と肛門洗浄との間に位置した状態で肛門洗浄のために回転板調節部材３００を肛門洗浄の方向に回転させると、回転板調節部材３００と共に水路選択回転板４００が回転する。すると、図５及び図６に示されるように、まず第１孔４５０がノズル清掃孔５１０と一致してノズル清掃孔５１０に洗浄水を供給するようになる。このとき、第２孔４６０の一部分が肛門洗浄孔５３０の前部に一致して肛門洗浄ノズルの内部に洗浄水を供給し、その圧力によって肛門洗浄ノズルが伸長しながら外部に露出される。したがって、肛門洗浄ノズルが伸長した状態でノズル清掃孔５１０を介して供給された洗浄水が肛門洗浄ノズルの外面に案内されるため、肛門洗浄ノズルを清掃するようになるものである。このように、肛門洗浄ノズルを清掃した後、回転板調節部材３００をさらに回転させると、図７及び図８に示されるように、第１孔４５０は、ノズル清掃孔５１０を通り過ぎるようになってノズル清掃孔５１０に洗浄水を供給することが遮断され、洗浄水は第２孔４６０及び肛門洗浄孔５３０を介して肛門洗浄ノズルの内部にのみ案内されて肛門洗浄作業を実行できるようになる。勿論、肛門洗浄孔５３０は、前部から後部に行くほど直径が広くなる弧状を有するため、第２孔４６０が肛門洗浄孔５３０に置かれる位置に応じて洗浄水の水圧が調節されて、使用者の必要に応じて使用できるようになる。そして、肛門洗浄が完了した後、回転板調節部材３００を元のセンター位置に移動させると、また第１孔４５０がノズル清掃孔５１０と一致する位置で肛門洗浄ノズルを清掃する作業が行われるため、肛門洗浄ノズルを常に清潔に維持できるようになる。
【００２８】
一方、女性洗浄のために回転板調節部材３００を女性洗浄の方向に回転させると、上述した肛門洗浄と同一の順序で作動が行われる。ただし、女性洗浄を行うか、それとも肛門洗浄を行うかの差であるため、重複説明は省略する。
【００２９】
このように、本発明に係るビデ用弁装置は、女性洗浄のために回転板調節部材３００を女性洗浄の方向に回転させると、その作動過程で第２孔４６０と女性洗浄孔５２０とが一致する前に、まず第１孔４５０とノズル清掃孔５１０とが一致して女性洗浄ノズルの外面に洗浄水を供給して女性洗浄ノズルを清掃する作業が先に実行され、肛門洗浄のために回転板調節部材３００を肛門洗浄の方向に回転させると、その作動過程で第２孔４６０と肛門洗浄孔５３０とが一致する前に、まず第１孔４５０とノズル清掃孔５１０とが一致して肛門洗浄ノズルの外面に洗浄水を供給して肛門洗浄ノズルを清掃する作業が先に実行され、女性洗浄及び肛門洗浄を終えた後、元の位置に復帰するときにも女性洗浄ノズル及び肛門洗浄ノズルを清掃する作業が行われるため、使用者は常に清潔に女性洗浄及び肛門洗浄を行うことができるようになる。
【００３０】
以上、本発明を特定の実施例と関連して図示及び説明したが、特許請求の範囲によって示された発明の思想及び領域から逸脱しない限度内で様々な改造及び変化が可能であるということは、当業界における通常の知識を有する者であれば誰でも容易に理解できるであろう。
【産業上の利用可能性】
【００３１】
本発明は、ビデの一部分に設置されてレバーを作動させると、肛門洗浄や女性洗浄を行う前にまずノズル洗浄用水が噴射されてノズルを自動で清掃するようにして、使用者に清潔さを提供することができる。
【図１】
2018536786.tif 000003
【図２】
2018536786.tif 000004
【図３】
2018536786.tif 000005
【図４】
2018536786.tif 000006
【図５】
2018536786.tif 000007
【図６】
2018536786.tif 000008
【図７】
2018536786.tif 000009
【図８】
2018536786.tif 000010
【国際調査報告】
2018536786.tif 000011
2018536786.tif 000012
2018536786.tif 000013
2018536786.tif 000014